(57)【特許請求の範囲】
【請求項１】
微小孔に出没自在に挿通された塗布体を対象物に押し当てることで、液体を対象物に塗布する液体塗布容器であって、
液体を収容した容器体の口部に上方付勢状態で押し込み可能に起立したステムが備えられ、ステムを容器体の内側に向けて押し込むことにより容器体内の液体をステムの内部を通して容器体から吐出する吐出器と、
内部に前記容器体から吐出された液体を溜め込みかつ前記塗布体が収納され、先端に前記微小孔が形成された液溜まり部と、
前記塗布体を微小孔に向けて付勢して該塗布体のうち、先端を前記液溜まり部から外部に突出させ、かつ基端側を液溜まり部の内面に接触させることで前記微小孔への流路を遮断する付勢体を備えた塗布栓機構と、
着脱自在に取り付けられるとともに、前記液溜まり部の先端部を覆うオーバーキャップと、を備え、
該オーバーキャップの内面には、前記液溜まり部の先端部が挿入される第１収納筒部と、前記塗布体の先端が挿入される第２収納筒部と、が延設され、
前記塗布体のうち、前記液溜まり部の内面に接触して前記微小孔への流路を遮断する部分よりも前記微小孔側に位置する先端側の部分は、外周面が溝を有しない平滑な棒状に形成されていて、
前記液溜まり部の先端部は有頂筒状に形成されるとともに、その頂部に、前記液溜まり部の先端部の内径より小径の前記微小孔が形成され、
前記液溜まり部のうち、前記塗布体が接触して前記微小孔への流路を遮断する部分よりも前記微小孔側に位置する先端部の内周面は溝を有しない平滑に形成され、
前記流路は、前記塗布体の先端側の部分のうち、前記液溜まり部の先端部内に位置する部分の外周面と、前記液溜まり部の先端部の内周面と、により画成され、かつ全域にわたってその軸方向に真っ直ぐ延在していることを特徴とする液体塗布容器。
【請求項２】
請求項１記載の液体塗布容器であって、
前記吐出器には、この吐出器を容器体の口部に装着する装着キャップが備えられ、
前記ステムは、液溜まり部を容器体側に向けて押し下げることで容器体の内側に向けて押し込まれる構成とされ、
前記装着キャップとオーバーキャップとの間には、オーバーキャップの前記容器体側に向けた移動を規制するストッパが設けられていることを特徴とする液体塗布容器。
【請求項３】
請求項１または２に記載の液体塗布容器であって、
前記容器体および吐出器は互いに同軸的に配置されるとともに、前記付勢体による塗布体の付勢方向は、これらの容器体および吐出器の共通軸に対して直交していることを特徴とする液体塗布容器。
【請求項４】
請求項１から３のいずれか１項に記載の液体塗布容器であって、
前記吐出器と液溜まり部とを連結する連結筒には、前記ステムの押し込み方向に直交する方向に延びる押し込み面部が形成されていることを特徴とする液体塗布容器。
【発明の詳細な説明】
【技術分野】
【０００１】
本発明は、内部に収容している薬液、洗浄液、化粧液、接着液等の液体を対象物に塗布する液体塗布容器に関するものである。
【背景技術】
【０００２】
この種の液体塗布容器として、例えば下記特許文献１に示されるように、予め定められた一定量の液体を一旦液溜まり部に溜め込んだ後に、塗布面を対象物に押し付けてこの液体を対象物に塗布する構成が知られている。この液体塗布容器では、塗布量が多くなり過ぎたり、塗布量を不足させたりすることなく、液溜まり部に溜め込んだ一定量の液体を塗布することができる。
ところで、塗布する液体の種類や用途によっては、微量（例えば数μｇ）の液体を複数回塗布することで、対象物の所望する範囲にムラ無く均等に液体を塗布するのが好適な場合がある。
【特許文献１】実用新案登録第２５４１３２７号公報
【発明の開示】
【発明が解決しようとする課題】
【０００３】
しかしながら、前記従来の液体塗布容器では、例えば対象物に塗布面を押し付ける力、容器の傾き等によって、塗布する度に塗布量が簡単に変動してしまい、微量の液体を複数回塗布することで、対象物の所望する範囲にムラ無く均等に液体を塗布するのが困難であるという問題があった。
【０００４】
本発明は、このような事情を考慮してなされたもので、液体を一定量だけ一旦溜め込んだ後に、その中から微量の液体を複数回塗布することで、対象物の所望する範囲にムラ無く均等に液体を塗布することができる液体塗布容器を提供することを目的とする。
【課題を解決するための手段】
【０００５】
上記課題を解決して、このような目的を達成するために、本発明の液体塗布容器は、微小孔に出没自在に挿通された塗布体を対象物に押し当てることで、液体を対象物に塗布する液体塗布容器であって、液体を収容した容器体の口部に上方付勢状態で押し込み可能に起立したステムが備えられ、ステムを容器体の内側に向けて押し込むことにより容器体内の液体をステムの内部を通して容器体から吐出する吐出器と、内部に前記容器体から吐出された液体を溜め込みかつ前記塗布体が収納され、先端に前記微小孔が形成された液溜まり部と、前記塗布体を微小孔に向けて付勢して該塗布体のうち、先端を前記液溜まり部から外部に突出させ、かつ基端側を液溜まり部の内面に接触させることで前記微小孔への流路を遮断する付勢体を備えた塗布栓機構と、着脱自在に取り付けられるとともに、前記液溜まり部の先端部を覆うオーバーキャップと、を備え、該オーバーキャップの内面には、前記液溜まり部の先端部が挿入される第１収納筒部と、前記塗布体の先端が挿入される第２収納筒部と、が延設され、前記塗布体のうち、前記液溜まり部の内面に接触して前記微小孔への流路を遮断する部分よりも前記微小孔側に位置する先端側の部分は、外周面が溝を有しない平滑な棒状に形成されていて、前記液溜まり部の先端部は有頂筒状に形成されるとともに、その頂部に、前記液溜まり部の先端部の内径より小径の前記微小孔が形成され、前記液溜まり部のうち、前記塗布体が接触して前記微小孔への流路を遮断する部分よりも前記微小孔側に位置する先端部の内周面は溝を有しない平滑に形成され、前記流路は、前記塗布体の先端側の部分のうち、前記液溜まり部の先端部内に位置する部分の外周面と、前記液溜まり部の先端部の内周面と、により画成され、かつ全域にわたってその軸方向に真っ直ぐ延在していることを特徴とする。
この発明では、ステムを容器体の内側に向けて押し込んで、容器体内に収容されている液体を液溜まり部内に吐出させる吐出器が備えられているので、容器体内に収容されている液体を液溜まり部内に送り込む量を安定させることが可能になる。
ここで、液溜まり部内に液体を送り込んでいる際には、塗布栓機構の付勢体が塗布体を微小孔に向けて付勢しており、塗布体の基端側を液溜まり部の内面に接触させて微小孔への流路を遮断している。そのため、液溜まり部内に送り込まれた液体が微小孔側に流れ込んで、外部に流出してしまうことがない。
次に、液体を液溜まり部内に一旦溜め込んだ後、付勢体に抗する力で塗布体を対象物に押し当てる。これにより塗布体は、微小孔から没するように液溜まり部の内側に向けて押し込まれる。すると、塗布体の基端側もこれに追従して液溜まり部の内側に移動するので、この基端側が液溜まり部の内面から離れ、微小孔に向かう流路が開放される。その結果、液溜まり部に溜め込まれた液体を、微小孔と塗布体との隙間を通じて外部に微小な量だけ染み出させることができ、対象物に微量の液体を塗布することができる。
従って、塗布する度に塗布量が変動するのを抑えることが可能になり、微量の液体を複数回塗布することで、対象物の所望する範囲にムラ無く均等に液体を塗布することができる。
なお、液体は、微小孔と塗布体との僅かな隙間を通って外部に流れ出るので、塗布体を押し付けた状態を維持したとしても、表面張力等の影響を受けることにより、液体がそのまま流出し続けるのを抑えることができる。
【０００６】
ここで、前記吐出器には、この吐出器を容器体の口部に装着する装着キャップが備えられ、前記ステムは、液溜まり部を容器体側に向けて押し下げることで容器体の内側に向けて押し込まれる構成とされ、前記装着キャップとオーバーキャップとの間には、オーバーキャップの前記容器体側に向けた移動を規制するストッパが設けられてもよい。
この場合、吐出器を容器体の口部に装着する装着キャップと、液溜まり部の先端部を覆うオーバーキャップと、の間に、オーバーキャップの容器体側に向けた移動を規制するストッパが設けられているので、この容器にオーバーキャップが取り付けられた状態で、オーバーキャップに不意に外力が作用しても、このオーバーキャップが容器体側に向けて移動するのを防ぐことができる。したがって、オーバーキャップに不意に作用した外力によって、液溜まり部がステムとともに容器体側に向けて押し下げられるのを防ぐことが可能になり、液体が不意に容器体から吐出されて液溜まり部内に送り込まれるのを防ぐことができる。
【０００７】
また、前記容器体および吐出器は互いに同軸的に配置されるとともに、前記付勢体による塗布体の付勢方向は、これらの容器体および吐出器の共通軸に対して直交してもよい。
この場合、付勢体による塗布体の付勢方向が、容器体および吐出器の共通軸に対して直交しているので、この液体塗布容器を把持した状態でステムを容器体の内側に向けて押し込んだ後に、この手の姿勢を変えることなくそのままの姿勢で、塗布体を対象物に押し当てることが可能になり、操作性を向上させることができる。
【０００８】
さらに、前記吐出器と液溜まり部とを連結する連結筒には、前記ステムの押し込み方向に直交する方向に延びる押し込み面部が形成されてもよい。
この場合、前記連結筒に押し込み面部が形成されているので、ステムを容易かつ確実に容器体の内側に向けて押し込むことが可能になり、操作性をより一層向上させることができる。
【発明の効果】
【０００９】
この発明に係る液体塗布容器によれば、液体を一定量だけ一旦溜め込んだ後に、その中から微量の液体を複数回塗布することで、対象物の所望する範囲にムラ無く均等に液体を塗布することができる。
【発明を実施するための最良の形態】
【００１０】
以下、図面を参照し、この発明の実施の形態について説明する。この実施形態に係る液体塗布容器１０は、微小孔１５ｂに出没自在に挿通された塗布体１２を、図示しない対象物に押し当てることで、液体Ｗを対象物に塗布可能に構成されている。なお、液体Ｗとしては、例えば、薬液、洗浄液、化粧液や接着液等何でも良く、対象物や用途に応じて適宜選択して構わない。
【００１１】
この液体塗布容器１０は、図１に示すように、液体Ｗを内部に収容する容器体１３と、この容器体１３内から液体Ｗを吐出させる吐出器１４と、液体Ｗが一旦溜め込まれる液溜まり部１５と、溜め込まれた液体Ｗの中から微量の液体Ｗを微小孔１５ｂから外部に流出させる塗布栓機構１６と、未使用時に液溜まり部１５のうち少なくとも微小孔１５ｂを覆うオーバーキャップ１７と、を備えている。
【００１２】
容器体１３は、樹脂材料等で有底筒状に形成されるとともに、口部１３ｂの外周面には螺旋状に雄ねじが形成されている。
吐出器１４は、容器体１３内に配置されたシリンダ２１、およびシリンダ２１の上端から上方付勢状態で押し込み可能に起立したステム２２が備えられ、ステム２２をシリンダ２１内に押し込むことにより容器体１３内の液体をステム２２の内部を通して容器体１３から吐出するように構成されている。
ここで、容器体１３と吐出器１４のシリンダ２１およびステム２２とはそれぞれ、横断面視円形状に形成されるとともに、共通軸と同軸上に配置されている。以下、この共通軸を軸線Ｌという。また、この軸線Ｌに沿って容器体１３の口部１３ｂ側を上側とし、容器体１３の底部側を下側として以下説明する。
【００１３】
シリンダ２１の上端部には、径方向外方に向けてフランジ部２１ａが突設されている。また、フランジ部２１ａの外周面は装着キャップ２３内に嵌合されており、この装着キャップ２３が容器体１３の口部１３ｂに形成された雄ねじに螺着することによって、この吐出器１４が容器体１３の口部１３ｂに装着されている。さらにこの状態で、フランジ部２１ａが、容器体１３の口部１３ｂにおける開口端縁上にパッキン１８を介して押し付けられている。
【００１４】
ここで、装着キャップ２３の上端部には、内筒部２３ａとこの内筒部２３ａを囲繞する外筒部２３ｂとが、上方に向けて延設されている。そして、ステム２２の上端部に嵌合された上部シリンダ２４が、装着キャップ２３の内筒部２３ａの内側に上下動可能に嵌合されている。なお、上部シリンダ２４は、軸線Ｌと同軸的に配置された小径筒部２４ａと大径筒部２４ｂとを備え、上側から下側に向けてこの順に連結されており、大径筒部２４ｂが、装着キャップ２３の内筒部２３ａの内側に上下動可能に嵌合されている。
【００１５】
また、シリンダ２１の内側には棒部材２５が嵌合されており、その上端部はステム２２内の中間部分まで到達している。さらに、棒部材２５の外周面とシリンダ２１の内周面とステム２２の下端縁とで画成された筒状空間内には、ステム２２を上方付勢状態で支持するスプリング２６が配置されている。また、シリンダ２１内において棒部材２５よりも下方に位置する部分には、シリンダ２１の内圧変動に応じて、このシリンダ２１の下端開口部に連結されたパイプ２７内とシリンダ２１内とを連通および遮断する球状の弁体２８が配置されている。
【００１６】
ここで、本実施形態では、液溜まり部１５は、連結筒２９を介して吐出器１４に連結されている。連結筒２９は、内部に上部シリンダ２４の小径筒部２４ａが嵌合された嵌合筒部３０と、この嵌合筒部３０を径方向外方から囲繞しかつオーバーキャップ１７が離脱可能に取り付けられる装着筒部３１と、これらの嵌合筒部３０の外周面と装着筒部３１の内周面とを連結する連結フランジ部３２と、連結フランジ部３２の上面に上方に向けて延設されたストッパ筒部３３と、装着筒部３１の外周面に径方向外方に向けてその全周にわたって突設されたフランジ状の押し込み面部３４と、を備えている。
【００１７】
装着筒部３１の外周面において押し込み面部３４より上側に位置する部分には雄ねじが形成されるとともに、オーバーキャップ１７の開放端部における内周面には雌ねじが形成されて、これらの雄ねじと雌ねじとが互いに螺着することによって、オーバーキャップ１７が連結筒２９に離脱可能に取り付けられている。また、装着筒部３１の外周面において押し込み面部３４より下側に位置する部分は、装着キャップ２３における外筒部２３ｂの内側に上下動自在に挿入されている。さらに、オーバーキャップ１７の開放端にはその全周にわたってフランジ部１７ａが突設されている。
【００１８】
液溜まり部１５は筒状に形成されるとともに、下側に位置する基端側がストッパ筒部３３と装着筒部３１との間に挿入されて連結筒２９に固定されている。これにより、液溜まり部１５の内部と、ステム２２の内部とが、上部シリンダ２４の内部および連結筒２９における嵌合筒部３０の内部を介して連通している。なお、液溜まり部１５の外周面には、装着筒部３１の上端開口縁に当接する鍔部１５ａが突設されている。また、液溜まり部１５の上端（先端）における中央に、塗布体１２が出没自在に挿通される微小孔１５ｂが形成されている。
【００１９】
塗布栓機構１６は、塗布体１２と、塗布体１２と一体に成形された付勢体３５とで構成されており、液溜まり部１５内に収納されている。なお、塗布体１２と付勢体３５とを一体に成形するのではなく、互いに独立させてこれらを組み合わせて塗布栓機構１６を構成しても構わない。
塗布体１２の先端１２ｂ側の部分は、上下方向に沿って延在した棒状体に形成され、上下方向に沿って移動可能に上記微小孔１５ｂに挿通されている。一方、塗布体１２の基端１２ａ側の部分は、先端１２ｂ側から基端１２ａに向かうに従い漸次拡径している。
【００２０】
付勢体３５は、例えば樹脂材料で形成されたバネであり、上端が塗布体１２の基端１２ａに固定されるとともに、下端が固定リング１２ｃを介してストッパ筒部３３の上端縁に固定されている。そして、この付勢体３５は、塗布体１２を常時上方付勢しており、無負荷の状態で塗布体１２の先端１２ｂを液溜まり部１５から外部に突出させ、塗布体１２の基端１２ａ側の外周面を液溜まり部１５の内面に接触させることで微小孔１５ｂへの流路１５ｃを遮断させている。
【００２１】
ここで、オーバーキャップ１７の上端側の内面には、オーバーキャップ１７を装着筒部３１に装着したときに、液溜まり部１５の上端部が挿入される第１収納筒部１７ｂと、微小孔１５ｂから外側に突出した塗布体１２の先端が挿入される第２収納筒部１７ｃとが下方に向けて延設されている。
【００２２】
次に、このように構成された液体塗布容器１を利用して、対象物に微量の液体Ｗを塗布する場合について、図２および図３を参照して説明する。
まず、図１に示す状態から、オーバーキャップ１７を装着筒部３１に対して軸線Ｌ回りに回動させて前述した雄ねじと雌ねじとの螺着を解いてオーバーキャップ１７を連結筒２９から取り外す。
【００２３】
次に、図２に示されるように、押し込み面部３４を下方に押し下げることにより、この連結筒２９、液溜まり部１５、および上部シリンダ２４も押し下げられてステム２２がシリンダ２１内に押し込まれる。この際、シリンダ２１内の液圧が上昇することで、シリンダ２１内の液体が、ステム２２と棒部材２５との間、ステム２２の内部、ステム２２と上部シリンダ２４内との間、上部シリンダ２４の内部、および嵌合筒部３０の内部をこの順に通過して液溜まり部１５の内部に流れ込む。これにより、液溜まり部１５内に一旦液体Ｗが溜め込まれる。
このように吐出器１４を用いて容器体１３内に収容されている液体Ｗを液溜まり部１５内に送り込むので、その量を安定させることができる。
【００２４】
ここで、液溜まり部１５内に液体Ｗを溜め込んでいる際、付勢体３５が塗布体１２を軸線Ｌに沿って微小孔１５ｂに向けて付勢しており、塗布体１２の基端１２ａ側を液溜まり部１５の内面に接触させて微小孔１５ｂへの流路１５ｃを遮断している。そのため、液溜まり部１５内に送り込まれた液体Ｗが、微小孔１５ｂ側に流れ込んで外部に流れ出てしまうことはない。
【００２５】
次に、液体Ｗを液溜まり部１５内に一定量溜め込んだ後、図３に示されるように、この液体塗布容器１０を把持した状態で付勢体３５に抗する力で塗布体１２の先端１２ｂを対象物に押し当てる。これにより塗布体１２は、先端１２ａが微小孔１５ｂから没するように液溜まり部１５内に向けて移動する。すると、塗布体１２の基端１２ａ側もこれに伴い液溜まり部１５の内側に移動するので、液溜まり部１５の内面から離間して前述の接触が解かれ、微小孔１５ｂに向かう流路１５ｃが開放される。その結果、液溜まり部１５内に溜め込まれた液体Ｗを、微小孔１５ｂと塗布体１２との隙間を通じて外部に微小な量だけ染み出させることができ、対象物に微量（例えば数μｇ）の液体Ｗを塗布することができる。
【００２６】
従って、塗布する度に塗布量が変動するのを抑えることが可能になり、微量の液体Ｗを複数回塗布することで、対象物の所望する範囲にムラ無く均等に液体Ｗを塗布することができる。
なお、液体Ｗは、微小孔１５ｂと塗布体１２との僅かな隙間を通って外部に流れ出るので、塗布体１２を押し付けた状態を維持したとしても、表面張力等の影響を受けることにより、液体Ｗがそのまま流出し続けるのを抑えることができる。
【００２７】
なお、本発明の技術的範囲は前記実施の形態に限定されるものではなく、本発明の趣旨を逸脱しない範囲において種々の変更を加えることが可能である。
例えば前記実施形態で示した連結筒２９およびオーバーキャップ１７に代えて、図４に示されるような構成を採用してもよい。
【００２８】
この図４に示す連結筒４０には、液溜まり部１５の基端側が内部に挿入される装着筒部４１の外周面において軸線Ｌを径方向で挟む互いに反対となる各位置に径方向外方に向けて押し込み面部４２が各別に突設されている。また、装着筒部４１の外周面において、これら一対の押し込み面部４２同士の間で、かつこれらの押し込み面部４２よりも上側に位置する部分に、その周方向に沿って延びる第１係合突部４３が突設されている。この第１係合突部４３における一方の周端部に下方に向けて延びる押し当て突部４４が設けられている。
一方、図４に示すオーバーキャップ４５には、その内周面における開放端部に周方向に沿って延びる第２係合突部４６が突設されている。
【００２９】
以上の構成において、オーバーキャップ４５は、第２係合突部４６が押し当て突部４４に押し当てられた状態で第１係合突部４３に係合することによって、連結筒４０の装着筒部４１に装着されている。
さらにオーバーキャップ４５の開放端縁には下方に向けて延在したストッパ板４７が設けられている。そして、このオーバーキャップ４５が前述のように連結筒４０の装着筒部４１に装着された状態で、ストッパ板４７の下端が装着キャップ２３における外筒部２３ｂの上端縁に当接若しくは近接し、かつストッパ板４７の側面が押し込み面部４２の側面に当接若しくは近接するようになっている。
【００３０】
これにより、この容器４８にオーバーキャップ４５が取り付けられた状態で、オーバーキャップ４５に不意に外力が作用しても、ストッパ板４７の先端が外筒部２３ｂの上端縁に当接することにより、オーバーキャップ４５が容器体１３側に向けて移動するのを防ぐことができる。したがって、オーバーキャップ４５に不意に作用した外力によって、液溜まり部１５および連結筒４０がステム２２とともに容器体１３側に向けて押し下げられるのを防ぐことが可能になり、液体Ｗが不意に容器体１３から吐出されて液溜まり部１５内に送り込まれるのを防ぐことができる。
さらに、以上のように構成された液体塗布容器４８では、オーバーキャップ４５を、第２係合突部４６が押し当て突部４４から離間するように連結筒４０に対して回動させたときに、ストッパ板４７を押し込み面部４２にぶつけることなく、第２係合突部４６と第１係合突部４３との係合を解除してオーバーキャップ４５を連結筒４０から外すことができる。
【００３１】
また、図１から図４で示した連結筒２９、４０に代えて、図５に示されるような構成を採用してもよい。
この図５に示す連結筒５１は、嵌合筒部３０と、この嵌合筒部３０を囲繞し、かつ装着キャップ２３の外筒部２３ｂ内から上方に向けて延在した第１装着筒部５２と、この第１装着筒部５２の外周面に容器体１３の径方向外方に向けて延設された第２装着筒部５３と、嵌合筒部３０から径方向外方に向けて延設され、この嵌合筒部３０内と液溜まり部１５内とを連通する突出筒部５４と、嵌合筒部３０の外周面において突出筒部５４の外周面と第２装着筒部５３の内面との間に位置する部分に前記径方向外方に向けて突設されて先端縁に固定リング１２ｃが固定されたストッパ筒部５５と、を備えている。第１装着筒部５２の上端面５２ａは前記径方向に沿って延びる平坦面（押し込み面部）となっている。また、突出筒部５４は、液溜まり部１５内にその先端側に向けて突出している。
【００３２】
そして、液溜まり部１５は、その基端側が第２装着筒部５３の内周面とストッパ筒部５５の外周面との間に挿入されて連結筒５１に固定されている。これにより、付勢体３５による塗布体１２の付勢方向が軸線Ｌに対して直交している、つまり液溜まり部１５の軸線Ｌ１が容器体１３の径方向に沿って延在している。なお、第２装着筒部５３、突出筒部５４およびストッパ筒部５５はそれぞれ、液溜まり部１５の軸線Ｌ１と同軸上に配置されている。
また、第２装着筒部５３の前記径方向の外方端部にオーバーキャップ１７が離脱可能に螺着される雄ねじが形成されている。このオーバーキャップ１７の開放端にその全周にわたって突設されたフランジ部１７ａが、装着キャップ２３における外筒部２３ｂの上端縁に当接若しくは近接している。
【００３３】
以上のような構成においても、この容器５０にオーバーキャップ１７が取り付けられた状態で、オーバーキャップ１７や第１装着筒部５２に不意に外力が作用しても、このキャップ１７のフランジ部１７ａが外筒部２３ｂの上端縁に当接することにより、オーバーキャップ１７や第１装着筒部５２が容器体１３側に向けて移動するのを防ぐことができる。したがって、オーバーキャップ１７や第１装着筒部５２に不意に作用した外力によって、液溜まり部１５および連結筒５１がステム２２とともに容器体１３側に向けて押し下げられるのを防ぐことが可能になり、液体Ｗが不意に容器体１３から吐出されて液溜まり部１５内に送り込まれるのを防ぐことができる。
さらに、前述の付勢方向が、軸線Ｌに対して直交しているので、この液体塗布容器５０を把持した状態で液溜まり部１５をステム２２とともに押し下げた後に、この手の姿勢を変えることなくそのままの姿勢で、塗布体１２を対象物に押し当てることが可能になり、操作性を向上させることができる。
【００３４】
さらに、前記各実施形態では、吐出器１４として、容器体１３内に配置されたシリンダ２１、およびシリンダ２１の上端から上方付勢状態で押し込み可能に起立したステム２２が備えられたポンプを示したが、これに代えて例えばシリンダ２１を有さない、いわゆるエアゾール式の吐出器においても適用可能である。
さらにまた、吐出器１４に代えて、例えば上部シリンダ２４を有さない従来から公知の一般的なポンプやスプレー等を採用してもよい。
【００３５】
また、液溜まり部１５は、その内部が外部から透視可能な透明若しくは半透明の材質で形成してもよい。
この場合、液溜まり部１５内の液体Ｗの残量を視認することが可能になり、一度塗布作業を行った後に再度塗布作業を行うのに先立って、液溜まり部１５内に液体Ｗを送り込む必要があるか否かを容易に判断することができる。
【産業上の利用可能性】
【００３６】
液体を一定量だけ一旦溜め込んだ後に、その中から微量の液体を複数回塗布することで、対象物の所望する範囲にムラ無く均等に液体を塗布することができる。
【図面の簡単な説明】
【００３７】
【図１】本発明に係る一実施形態として示した液体塗布容器を示す一部縦断面図である。
【図２】図１に示す状態からオーバーキャップを取り外した後、ステムを液溜まり部とともに容器体の内側に向けて押し込んだ状態を示す一部縦断面図である。
【図３】図２に示す状態から塗布体を対象物に押し付けて、液溜まり部内に溜め込まれた液体の中から微量の液体を微小孔から吐出させ、塗布している状態を示す一部縦断面図である。
【図４】本発明に係る他の実施形態として示した液体塗布容器の一部を示す概略斜視図である。
【図５】本発明に係るさらに他の実施形態として示した液体塗布容器を示す一部縦断面図である。
【符号の説明】
【００３８】
１０、４８、５０  液体塗布容器
１２  塗布体
１２ａ  塗布体の基端
１２ｂ  塗布体の先端
１３  容器体
１３ｂ  口部
１４  吐出器
１５  液溜まり部
１５ｂ  微小孔
１６  塗布栓機構
１７、４５  オーバーキャップ
１７ａ  フランジ部（ストッパ）
２２  ステム
２３  装着キャップ
２９、４０、５１  連結筒
３４、４２  押し込み面部
３５  付勢体
４７  ストッパ板（ストッパ）
５２ａ  第１装着筒部の上端面（押し込み面部）
Ｌ  軸線（共通軸）
Ｗ  液体
【図１】
0005624260.tif 000002
【図２】
0005624260.tif 000003
【図３】
0005624260.tif 000004
【図４】
0005624260.tif 000005
【図５】
0005624260.tif 000006